(57)【要約】【課題】入力ビデオ信号の映像を、その映像におけるノイズまたは歪みが発生し易い周縁が映り込まない様に表示パネルに表示する画像表示装置を提供する。【解決手段】この画像表示装置は、表示パネル５と、入力ビデオ信号Ｓ１の映像における各々一定の垂直方向幅の上下の周縁が前記表示パネルの映像表示領域の外にはみ出す様に、前記映像の垂直方向サイズを前記映像表示領域の垂直方向サイズよりも前記周縁に対応する分大きくなる様に変更して前記入力ビデオ信号を前記表示パネルに出力する表示信号処理部４と、表示信号処理部４を制御する制御部３とを備える。【選択図】図１
2011237501.tif 000002
【特許請求の範囲】
【請求項１】
表示パネルと、
入力ビデオ信号の映像における上下の周縁が前記表示パネルの映像表示領域の外にはみ出す様に、前記映像の垂直方向サイズを前記映像表示領域の垂直方向サイズよりも前記周縁に対応する分大きくなる様に変更して前記入力ビデオ信号を前記表示パネルに出力する表示信号処理部と、
を備えることを特徴とする画像表示装置。
【請求項２】
請求項１に記載の画像表示装置であって、
前記表示信号処理部は、
前記入力ビデオ信号の映像における左右の周縁をカットし、且つそのカット後の前記映像の水平方向サイズを前記表示パネルの前記映像表示領域の水平方向サイズと同じサイズに変更することを特徴とする画像表示装置。
【請求項３】
請求項１に記載の画像表示装置であって、
前記入力ビデオ信号の前記映像の第１アスペクト比が前記表示パネルの前記映像表示領域の第２アスペクト比よりも縦長である場合において、
前記表示信号処理部は、
前記入力ビデオ信号の映像における左右の周縁以外の中央部分の水平方向サイズが、前記表示パネルの映像表示領域の垂直方向サイズに対して前記第１アスペクト比となる様に、前記入力ビデオ信号の映像の水平方向サイズを変更し、
前記表示パネルは、前記表示信号処理部により変更された前記入力ビデオ信号をその映像の前記左右の周縁にブランキング部を重畳して表示することを特徴とする画像表示装置。
【請求項４】
表示パネルと、
入力ビデオ信号の映像における各々一定の水平方向幅の左右の周縁をカットし、且つそのカット後の前記映像の水平方向サイズを前記表示パネルの前記映像表示領域の水平方向サイズと同じサイズに変更して前記入力ビデオ信号を前記表示パネルに出力する表示信号処理部と、
を備えることを特徴とする画像表示装置。
【請求項５】
請求項４に記載の画像表示装置であって、
前記入力ビデオ信号の前記映像の第１アスペクト比が前記表示パネルの前記映像表示領域の第２アスペクト比よりも横長である場合において、
前記表示信号処理部は、
前記入力ビデオ信号の映像の垂直方向サイズを前記表示パネルの垂直方向サイズ以下のサイズに変更することを特徴とする画像表示装置。
【請求項６】
請求項５に記載の画像表示装置であって、
前記表示パネルは、前記表示信号処理部により変更された前記入力ビデオ信号をその映像における上下の周縁にブランキング部を重畳して表示することを特徴とする画像表示装置。
【請求項７】
請求項１または５に記載の画像表示装置であって、
前記表示信号処理部は、
複数のラインメモリと、
前記各ラインメモリに対して選択的に前記入力ビデオ信号のデータの書き込みを行う書込部と、
前記各ラインメモリに対して選択的に前記データの読み出しを行う読出部と、
を備え、
前記書込部は、前記各ラインメモリを順にローテーションして選択し、その選択したラインメモリに前記データを書き込み、
前記読出部は、選択した前記ラインメモリから前記データの読み出しを行う際に、前記映像を構成する各水平ラインに関して数個の水平ラインに１個の割合で、前記１個の水平ラインの前記データの読み出しを行わない、または前記１個の水平ラインの前記データの読み出しを複数回続けて行うことで、前記入力ビデオ信号の前記映像の垂直方向サイズを変更することを特徴とする画像表示装置。
【請求項８】
請求項２〜４の何れかに記載の画像表示装置であって、
前記表示信号処理部は、
複数のラインメモリと、
前記各ラインメモリに対して選択的に前記入力ビデオ信号のデータの書き込みを行う書込部と、
前記各ラインメモリに対して選択的に前記データの読み出しを行う読出部と、
を備え、
前記書込部は、前記各ラインメモリを順にローテーションして選択し、その選択したラインメモリに前記データを書き込み、
前記読出部は、選択した前記ラインメモリから前記データの読み出しを行う際に、数個のピクセルに１つの割合で、前記１つのピクセルのデータの読み出しを行わない、または前記１つのピクセルのデータの読み出しを数回続けて行うことで、前記入力ビデオ信号の前記映像の水平方向サイズを変更することを特徴とする画像表示装置。
【請求項９】
請求項８に記載の画像表示装置であって、
前記読出部は、選択した前記ラインメモリから前記データの読み出しを行う際に、前記左右の周縁に対応するピクセルのデータの読み出しを行わないことで、前記左右の周縁をカットすることを特徴とする画像表示装置。
【発明の詳細な説明】
【技術分野】
【０００１】
本発明は、入力ビデオ信号を、その映像におけるノイズまたは歪みが発生し易い周縁をカットして、表示パネルに表示する画像表示装置に関する。
【背景技術】
【０００２】
近年のＨＤＴＶ（High Definition Television ）に対応したＤＶＤ（Digital Versatile Disc）レコーダなどのディジタルＡＶ(Audio Visual)機器またはコンピュータシステムにおいては、ディスプレイモニタの標準規格であるＤＶＩ（Digital Visual Interface）入力端子に接続可能なＨＤＭＩ（High Definition Multimedia Interface）出力端子が搭載されるようになっている。それに伴い、液晶ディスプレイなどの画像表示装置においても、テレビジョン信号方式である、４８０ｉ（interlace）／４８０ｐ(progressive)／７２０ｐ／１０８０ｉ／１０８０ｐなどのビデオ信号の入力を受け、そのビデオ信号の表示を可能にする必要性が高まっている。
【０００３】
しかしながら、これらのビデオ信号は、テレビでオーバースキャン表示される事を前提に製作されている場合がある。この様なビデオ信号の映像を、コンピュータシステムなどに接続されて使用される１００％フルスキャン表示の液晶ディスプレイに表示すると、その映像の周縁に発生するノイズまたは歪みが、ディスプレイ画面の周縁に映るため、その映像の周縁をカットしてノイズまたは歪みがディスプレイ画面に映らない様にする必要がある。
【０００４】
また従来のように、フレームメモリを用いて映像の拡大または縮小を行う場合は、フレームメモリの読出位置および幅を制御することでオーバースキャン表示している。しかしながら、フレームメモリを用いるため、回路規模が増大して画像表示装置の製品コストが高価なものになったり、映像処理が音声処理に対してフレーム遅延を発生させるために、シューティングゲームなどで音声と映像のズレによる違和感が発生していた。
【０００５】
例えば、特許文献１においては、フレームメモリを用いて、映像の拡大または縮小処理により、表示パネルの解像度と表示データの解像度とを合致させるデータ変換部を設けた画像表示装置が開示されている。また、特許文献２においては、入力ビデオ信号のアスペクト比が表示パネルの映像表示領域のアスペクト比に対して横長である場合に、入力ビデオ信号のアスペクト比をそれらのアスペクト比の中間のアスペクト比に変更することで、横長の映像を極力横長の映像で表示させる画像表示装置が開示されているが、入力ビデオ信号をその映像におけるノイズまたは歪みが発生する周縁をカットして表示することを目的としたものではない。
【先行技術文献】
【特許文献】
【０００６】
【特許文献１】特開平８−１３７４４４号公報
【特許文献２】特開２００８−２６８７０１号公報
【発明の概要】
【発明が解決しようとする課題】
【０００７】
この発明の課題は、上記のような問題点を解決するためになされたものであり、第１の目的は、入力ビデオ信号の映像を、その映像におけるノイズまたは歪みが発生し易い周縁が映り込まない様に表示パネルに表示する画像表示装置を提供することにある。また第２の目的は、製品コストを増大させることなく、映像処理が音声処理に対して遅延しない画像表示装置を提供することにある。
【課題を解決するための手段】
【０００８】
上記課題を解決する為に、本発明の第１の態様は、表示パネルと、入力ビデオ信号の映像における上下の周縁が前記表示パネルの映像表示領域の外にはみ出す様に、前記映像の垂直方向サイズを前記映像表示領域の垂直方向サイズよりも前記周縁に対応する分大きくなる様に変更して前記入力ビデオ信号を前記表示パネルに出力する表示信号処理部と、を備えるものである。
【０００９】
また本発明の第２の態様は、表示パネルと、入力ビデオ信号の映像における左右の周縁をカットし、且つそのカット後の前記映像の水平方向サイズを前記表示パネルの前記映像表示領域の水平方向サイズと同じサイズに変更して前記入力ビデオ信号を前記表示パネルに出力する表示信号処理部と、を備えるものである。
【発明の効果】
【００１０】
本発明の第１の態様によれば、入力ビデオ信号の映像を、その映像におけるノイズまたは歪みが発生し易い各々一定の垂直方向幅の周縁が映り込まない様に表示パネルに表示する事ができる。
【００１１】
また本発明の第２の態様によれば、入力ビデオ信号の映像を、その映像におけるノイズまたは歪みが発生し易い各々一定の水平方向幅の周縁が映り込まない様に表示パネルに表示する事ができる。
【図面の簡単な説明】
【００１２】
【図１】本発明に係る実施の形態の画像表示装置の主要部の構成を示すブロック図である。
【図２】フレームメモリを用いた映像拡大処理を説明する図である。
【図３】ラインメモリを用いた映像拡大処理を説明する図である。
【図４】表示信号処理部から表示パネルへの出力信号の出力タイミングの設定方法を説明するフローチャートである。
【図５】表示信号処理部から表示パネルへの出力信号を９８％オーバースキャン表示させる場合の出力タイミングを説明する出力タイミングチャートである。
【図６】表示信号処理部から表示パネルへの出力信号を１０３％アンダースキャン表示させる場合の出力タイミングを説明する出力タイミングチャートである。
【図７】入力ビデオ信号が４８０ｐ（スクイーズ画像）の場合の画像表示装置の動作を説明する図である。
【図８】入力ビデオ信号のアスペクト比が表示パネルのアスペクト比よりも縦長の場合の画像表示装置の動作を説明する図である。
【図９】入力ビデオ信号のアスペクト比が表示パネルのアスペクト比よりも横長の場合の画像表示装置の動作を説明する図である。
【発明を実施するための形態】
【００１３】
＜１．画像表示装置の構成＞
この実施の形態に係る画像表示装置１は、例えば液晶表示装置であり、図１の様に、入力ビデオ信号Ｓ１の映像における歪みまたはノイズが発生し易い範囲の周縁をカットする表示信号処理部４と、前記周縁がカットされた前記映像を表示する表示パネル５と、表示信号処理部４を制御する制御部２と、制御用メモリ３とを備えている。ここでは、表示パネル５は、例えば解像度１９２０×１０８０でアスペクト比１６：９の映像表示領域（画面サイズ）を有している。
【００１４】
表示信号処理部４は、入力ビデオ信号Ｓ１として、テレビジョン信号方式である４８０ｉ（interlace）／４８０ｐ(progressive)／７２０ｐ／１０８０ｉ／１０８０ｐなどの入力ビデオ信号、またはＶＧＡ／ＸＧＡ／ＳＸＧＡなどコンピュータの入力ビデオ信号を入力し、その入力ビデオ信号Ｓ１の周波数を計測する。
【００１５】
また表示信号処理部４は、制御部４により設定される後述のオーバースキャン率に基づいて、入力ビデオ信号Ｓ１の映像に対しその左右の周縁をカットし更に表示パネル５の画面サイズに応じて拡大または縮小処理を行ってパネル出力信号Ｓ２を生成し、且つ制御部４により設定される後述の出力タイミングに基づいてパネル出力信号Ｓ２の表示パネル５への出力タイミングを制御することで、パネル出力信号Ｓ２の映像の垂直方向のアンダースキャン率を制御する。
【００１６】
より詳細には、表示信号処理部４は、複数（例えば３つの）ラインメモリＬＭ１〜ＬＭ３と、各ラインメモリＬＭ１〜ＬＭ３に対して選択的に入力ビデオ信号Ｓ１のデータの書き込みを行う書込部４ａと、各ラインメモリＬＭ１〜ＬＭ３に対して選択的にデータの読み出しを行う読出部４ｂとを備えている。書込部４ａは、各ラインメモリＬＭ１〜ＬＭ３を例えばＬＭ１→ＬＭ２→ＬＭ３→ＬＭ１の順にローテーションして選択し、その選択したラインメモリにデータを書き込む。
【００１７】
尚、表示パネル５に表示される映像に前記周縁が含まれる場合は、表示信号処理部４または表示パネル５により、前記周縁を被覆する様に（即ち前記周縁をカットする様に）ブランキング部を重畳させても良い。
【００１８】
制御用メモリ３には、上記のオーバースキャン率が設定されている。
【００１９】
制御部２は、表示信号処理部４の計測結果に基づいて前記周縁をカットするオーバースキャン率を設定し、このオーバースキャン率に基づいて、入力ビデオ信号Ｓ１からパネル出力信号Ｓ２を生成させる様に表示信号処理部４を制御する。その際、入力ビデオ信号Ｓ１を拡大する際、入力ビデオ信号Ｓ１の映像のアスペクト比が保たれる様に入力ビデオ信号Ｓ１を拡大させる事が望ましい。
【００２０】
尚、入力ビデオ信号Ｓ１の映像の画面サイズが予め決まっている場合は、表示信号処理部４の計測結果に基づいてオーバースキャン率を設定する代わりに、制御用メモリ３から入力ビデオ信号Ｓ１の映像の前記周縁をカットするオーバースキャン率を読み出し、そのオーバースキャン率を設定してもよい。
【００２１】
また制御部２は、後述の様に、表示信号処理部４の計測結果および設定したオーバースキャン率に基づいて、パネル出力信号Ｓ２の表示パネル５への出力タイミングを制御する。
【００２２】
＜２．表示信号処理部４の処理の詳細の一例＞
表示信号処理部４でのパネル出力信号Ｓ２の生成（即ち、ラインメモリＬＭ１〜ＬＭ３を用いての入力ビデオ信号Ｓ１の映像の周縁カットおよび拡大縮小処理）について詳説する。
【００２３】
比較のため、ます従来方法でのパネル出力信号Ｓ２の生成（即ち、フレームメモリを用いての入力ビデオ信号Ｓ１の周縁カットおよび拡大処理）について詳説する。
【００２４】
フレームメモリＦＭを用いて入力ビデオ信号Ｓ１の映像の周縁カットおよび拡大処理を行う場合は、図２（ａ）の様に、フレームメモリＦＭの読出開始位置Ｒｓ、および垂直方向および水平方向の各読出幅Ｈｖ，Ｈｈを制御することで、周縁カットおよび拡大処理をを行っている。尚、読出終了位置Ｒｆが決まると、各読出幅Ｈｖ，Ｈｈは決まる。
【００２５】
具体的には、例えば１９２０×１０８０の入力ビデオ信号Ｓ１を１９２０×１０８０の表示パネル５に水平方向および垂直方向に９８％オーバースキャンして拡大表示する場合は、図２（ａ）の様に、読出開始位置Ｒｓおよび読出終了位置Ｒｆを制御して入力ビデオ信号Ｓ１の映像の周縁のカットを行う。即ちフレームメモリＦＭの書込開始位置Ｗｓを例えば（１，１）とし、書込終了位置Ｗｆを例えば（１９２０，１０８０）として、フレームメモリＦＭに入力ビデオ信号Ｓ１を書き込む。尚、括弧内の左の値は、フレームメモリＦＭの水平方向位置を示し、右の値は、フレームメモリＦＭの垂直方向位置を示している。
【００２６】
そして読み出しの際は、フレームメモリＦＭの読出開始位置Ｒｓを書込開始位置Ｗｓからオーバースキャン率に応じた分、垂直方向および水平方向に内側に後退した位置（２０，１２）とし、読出終了位置Ｒｆを書込終了位置Ｗｆからオーバースキャン率に応じた分、垂直方向および水平方向に内側に進んだ位置（１９００，１０６８）として、フレームメモリＦＭから入力ビデオ信号Ｓ１を読み出す。これにより入力信号Ｓ１は、その周縁（即ち読出開始位置Ｒｓおよび読出終了位置Ｒｆで規定される矩形枠Ｔの外側の部分）がカットされて読み出される。
【００２７】
更にその読み出しの際、入力ビデオ信号Ｓ１は、その映像のカットされない１８８０×１０５６の部分（即ち枠Ｔ内の映像）が１９２０×１０８０の映像に変更（ここでは拡大）される。これにより、表示パネル５の映像表示領域と同サイズの１９２０×１０８０のパネル出力信号Ｓ２が生成される。このパネル出力信号Ｓ２が図２（ｂ）の様に垂直方向および水平方向にフルスキャンされて表示パネル５に表示されることで、入力ビデオ信号Ｓ１の映像が表示パネル５において垂直方向および水平方向に９８％オーバースキャンされて拡大表示される。
【００２８】
尚、入力ビデオ信号Ｓ１のキャプチャー時に、フレームメモリＦＭの書込開始位置Ｗｓ、および水平方向および垂直方向の書込幅Ｊｈ，Ｊｖを制御することで、オーバースキャン表示する方法もあるが、この方法は周知技術であるので詳説は省略する。
【００２９】
これに対し、この実施の形態の様に、各ラインメモリＬＭ１〜ＬＭ３を用いて（即ちフレームメモリを用いずに）入力ビデオ信号Ｓ１の映像の周縁カットおよび拡大処理する場合は、下記の様に行われる。例えば１９２０×１０８０の入力ビデオ信号Ｓ１を１９２０×１０８０の表示パネルに水平方向および垂直方向に９８％オーバースキャンして拡大表示する場合は、図３（ａ）の様に、水平方向に対しては、各ラインメモリＬＭ１〜ＬＭの読出開始位置Ｒｓおよび読出終了位置Ｒｆを制御する。
【００３０】
即ち入力ビデオ信号Ｓ１の各ラインＬ１〜Ｌ１０８０のデータを順に、各ラインメモリＬＭ１〜ＬＭ３にＬＭ１→ＬＭ２→ＬＭ３→ＬＭ３の順にローテーションして書き込む。その際、各ラインメモリＬＭ１〜ＬＭ３の書込開始位置Ｗｓはそれぞれ例えば（１）とし、書込終了位置Ｗｆはそれぞれ例えば（１９２０）とする。そして読み出しの際は、各ラインメモリＬＭ１〜ＬＭ３の読出開始位置Ｒｓはそれぞれ書込開始位置Ｗｓからオーバースキャン率に応じた分後退した位置（２０）とし、書込終了位置Ｗｆはそれぞれ書込終了位置Ｗｆからオーバースキャン率に応じた分進んだ位置（１９００）として、データの読み出しを行う。例えば、第１ラインメモリＬＭ１への書き込みが終わると、第１ラインメモリＬＭ１からの読み出しを行うと共に第２ラインメモリＬＭ２への書き込みを行う（即ち各ラインメモリＬＭ１〜ＬＭ３のうちの或るラインメモリへの書き込みが終わると、当該或るラインメモリからの読み出しと次のラインメモリへの書き込みとを行う）。これにより入力ビデオ信号Ｓ１の映像におけるノイズまたは歪みが発生し易い一定の水平方向幅のの左右の周縁がカットされる。
【００３１】
更にその読み出しの際、各ラインメモリＬＭ１〜ＬＭ３に書き込まれたデータは、それらの中央のカットされない１８８０ピクセル分のデータが表示パネル５の映像表示領域の水平方向サイズ（１９２０）と同じサイズに変更（ここでは拡大）されて（即ち水平解像度が変更されて）読み出される。例えば各ピクセルのデータは基本的には１回だけ読み出されるが、数個のピクセルに１個の割合でその１個のピクセルのデータが複数回（例えば２回）続けて読み出されることで、１８８０ピクセルのデータが１９２０ピクセルのデータに増大される。
【００３２】
また垂直方向に関しては、上記の読み出しの際に、読み出されるデータの垂直方向のライン数（１０８０）が、表示パネル５の映像表示領域の垂直方向のライン数（１０８０）に対して、オーバースキャン率の逆数（正確には逆数の四捨五入値または逆数の小数点以下切り捨て値）を掛けた値（ここでは１１０２ライン）に変更（ここでは増大）されて（即ち垂直解像度が変更されて）読み出される。例えば入力ビデオ信号Ｓ１を構成する水平方向の各ライン（水平ライン）は、基本的には１回だけ読み出されるが、数個のラインに１個の割合でその１個のラインのデータが複数回（例えば２回）続けて読み出されることで、１０８０ラインが１１０２ラインに変更（ここでは増大）される。
【００３３】
この様に、入力ビデオ信号Ｓ１において、その映像の水平方向に関しては、オーバースキャン率に応じた分、各々一定の水平方向幅の左右の周縁がカットされた後に表示パネル５の水平方向サイズと同じサイズに変更され、且つその映像の垂直方向に関しては、オーバースキャン率の逆数倍のサイズ（即ち解像度）に変更されることで、パネル出力信号Ｓ２が生成される。そして図３（ｂ）の様に、このパネル出力信号Ｓ２が、表示パネル５において、水平方向に関してはフルスキャンで出力表示され、且つ垂直方向に関してはオーバースキャン率で拡大されて出力表示される。これにより入力ビデオ信号Ｓ１の映像は、表示パネル５において、水平方向および垂直方向に例えば９８％オーバースキャンされて表示される。即ち入力ビデオ信号Ｓ１の映像は、各々一定の水平方向幅の左右の周縁がカットされ、且つ各々一定の垂直方向幅の上下の周縁がカットされて表示される。
【００３４】
尚、読み出しの際に入力ビデオ信号Ｓ１を拡大処理する代わりに縮小処理する場合は、以下の様に行う。即ち水平方向に縮小させる場合は、各ピクセルのデータを基本的には１回だけ読み出し、数個のピクセルに１個の割合でその１個のピクセルのデータの読み出しを行わないことで、入力ビデオ信号Ｓ１を水平方向に縮小させる。また垂直方向に縮小させる場合は、各ラインＬ１〜Ｌ１０８０のデータを基本的には１回だけ読み出し、数個のラインに１個の割合でその１個のラインの読み出しを行わないことで、入力ビデオ信号Ｓ１を垂直方向に縮小させる。
【００３５】
尚、ラインメモリＬＭ１〜ＬＭ３からの読み出しの際に、入力ビデオ信号Ｓ１の映像の左右の周縁をカットしない場合は、読出開始位置Ｒｓを書込開始位置Ｗｓに一致させ、且つ読出終了位置Ｒｆを書込終了位置Ｗｆに一致させればよい。この場合は、読み出されたデータの左右の周縁にブランキング部を重畳することで当該左右の周縁を実質的にカットしてもよい。
【００３６】
尚ここでは９８％オーバースキャンされる場合（即ちオーバースキャン率ｋ＝０，９８の場合）で説明したが、このオーバースキャン率は、例えば、制御部２により、入力ビデオ信号Ｓ１のビデオタイミングに応じて、入力ビデオ信号Ｓ１の映像におけるノイズまたは歪みが発生し易い各々一定の水平方向幅の左右の周縁がカットされる様に設定される。
【００３７】
＜３．パネル出力信号Ｓ２の表示パネル５への出力タイミングの設定＞
次に図４に基づいて、制御部２によるパネル出力信号Ｓ２の表示パネル５への出力タイミングの設定（換言すれば、垂直方向にはラインメモリＬＭ１〜ＬＭ３によりオーバースキャン率の逆数倍のサイズに変更され、水平方向にはラインメモリＬＭ１〜ＬＭ３により左右の周縁が例えばカットされ更に表示パネル５と同じサイズに変更された入力ビデオ信号Ｓ１（即ちパネル出力信号Ｓ２）を、水平方向にはフルスキャンで表示させ、垂直方向にはオーバースキャン率ｋでオーバースキャンして表示パネル５に表示させる場合の出力タイミングの設定）の仕方を説明する。
【００３８】
以下では、説明便宜上、入力ビデオ信号Ｓ１が表示パネル５に垂直方向に拡大されて（即ちオーバースキャン率ｋ＜１でオーバースキャンされて）表示される場合を想定して説明する。しかし、オーバースキャン率ｋ＞１の場合は垂直方向に縮小されて（即ちアンダースキャンされて）表示され、またオーバースキャン率ｋ＝１の場合は垂直方向に拡大縮小されずに（即ちフルスキャンされて）表示されることになる。
【００３９】
まずステップＵ１で、制御部５は、表示信号処理部４による入力ビデオ信号Ｓ１の周波数計測結果から、入力ビデオ信号Ｓ１の垂直映像データライン数（INPUT Height）、垂直全期間ライン数（INPUT Vtotal）、水平同期信号周波数（fh）、垂直同期信号周波数（fv）などの入力ビデオ信号Ｓ１のビデオタイミングを検出する。
【００４０】
そしてステップＵ２で、制御部５は、上記の検出したビデオタイミングに応じて、入力ビデオ信号Ｓ１の映像におけるノイズまたは歪みが発生し易い一定の垂直方向幅の周縁がカットされるオーバースキャン率ｋを決定する。尚、ｋは、１００％フルスキャンの場合は１となり、９８％オーバースキャンの場合は０．９８となり、１０３％アンダースキャンの場合は１．０３となる。但しｋは、表示パネル５のクロック周波数（Output Pixel Clock）、水平同期信号周波数（fh）、垂直同期信号周波数（fv）、水平全期間ドット数（Output Htotal）、垂直全期間ライン数（Output Vtotal）が許容できる範囲内で設定される。尚、例えば、入力ビデオ信号Ｓ１が４８０ｐでアスペクト比４：３の場合は、オーバースキャン率ｋ＝０．９５に設定される。
【００４１】
尚、上記の検出したビデオタイミングに応じてオーバースキャン率ｋを決定する代わりに、制御用メモリ３から読み出したオーバースキャン率ｋを以てオーバースキャン率ｋを決定してもよい。
【００４２】
そしてステップＵ３で、制御部５は、オーバースキャン時の表示パネル５の垂直映像データライン数（Output Height）を、表示パネル５の映像表示領域に適合したフルスキャン時の表示パネル５の垂直映像データライン数（Output Height）÷オーバースキャン率ｋの演算により求める。尚このオーバースキャン時の表示パネル５の垂直映像データライン数（Output Height）は、表示信号処理部４から表示パネル５に出力されるパネル出力信号Ｓ２の垂直方向のサイズに対応している。尚、演算の結果が整数にならない場合は、例えば四捨五入されるものとする（以下同様）。尚、説明便宜上、ｋ＜１の場合を想定して「オーバースキャン時」としているが、ｋ＝１の場合は「フルスキャン時」となり、ｋ＞１の場合は「アンダースキャン時」となる（以下同様）。
【００４３】
そしてステップＵ４で、制御部５は、オーバースキャン時の表示パネル５の垂直全期間ライン数（Output Vtotal）を、オーバースキャン時の表示パネル５の垂直映像データライン数（Output Height）×入力ビデオ信号Ｓ１の垂直全期間ライン数（INPUT Vtotal）÷入力ビデオ信号Ｓ１の垂直映像データライン数（INPUT Height）の演算により求める。
【００４４】
そしてステップＵ５で、制御部５は、水平方向に対しては、ラインメモリＬＭ１〜ＬＭ３からの読み出しの際に、入力ビデオ信号Ｓ１の映像の左右の周縁がカットされて表示パネル５の水平方向サイズと同サイズに変更されるので、フルスキャン表示の出力タイミングに設定する。故に制御部５は、表示パネル５の水平全期間ドット数（Output Htotal）および水平映像データドット数（Output Width）は、フルスキャン時の値のまま変更しない。
【００４５】
そしてステップＵ６で、制御部５は、オーバースキャン時の表示パネル５のクロック周波数（Output Pixel Clock）を、オーバースキャン時の表示パネル５の垂直全期間ライン数（Output Vtotal）×表示パネル５の垂直映像データライン数（Output Htotal）×表示パネル５の垂直同期信号周波数（fv）の演算により求める。
【００４６】
そしてステップＵ７で、制御部５は、ステップＵ３〜Ｕ６の演算で求めた各値を出力タイミングとして設定し、その出力タイミングに基づいて、ラインメモリＬＭ１〜ＬＭ３から読み出された入力ビデオ信号Ｓ１（即ちパネル出力信号Ｓ２）を表示パネル５に出力させる。これにより、パネル出力信号Ｓ２は、水平方向にはフルスキャンで表示され、垂直方向にはオーバースキャン率ｋでオーバースキャンされて表示パネル５に表示される。
【００４７】
尚ここでは、パネル出力信号Ｓ２を水平方向にフルスキャンさせて表示される場合で説明したが、パネル出力信号Ｓ２を水平方向にオーバースキャンまたはアンダースキャンさせて表示する場合は、垂直方向の場合と同様に、オーバースキャンまたはアンダースキャンに応じて水平全期間ドット数（Output Htotal）および水平映像データドット数（Output Width）を変更すればよい。
【００４８】
＜３−１．出力タイミングの具体例１＞
図５は、表示信号処理部４から表示パネル５へのパネル出力信号Ｓ２の出力タイミングの具体例として、入力ビデオ信号Ｓ１を１９２０×１０８０の表示パネル５において垂直方向に拡大して表示させる場合の垂直方向の出力タイミングを説明する図である。尚、この場合の表示パネル５のフルスキャン時の垂直映像データライン数（Output Height）は１０８０ラインである。尚、水平方向の出力タイミングは、パネル出力信号Ｓ２をフルスキャンする場合（即ち従来と同様の場合）を想定しているので、ここでの説明は省略する。
【００４９】
入力ビデオ信号Ｓ１はCEA（Consumer Electronics Association）規格で定められたビデオタイミングを有している。１０８０ｐの入力ビデオ信号Ｓ１の場合、入力ビデオ信号Ｓ１の垂直同期信号周波数（fv）は６０Ｈｚであり、入力ビデオ信号Ｓ１の垂直全期間ライン数（INPUT Vtotal）は１１２５ラインである。
【００５０】
この入力ビデオ信号Ｓ１を垂直方向に拡大して表示パネル５に出力する際の出力タイミングは、表示パネル５のクロック周波数（Output Pixel Clock）、水平同期信号周波数（fh）、垂直同期信号周波数（fv）、水平全期間ドット数（Output Htotal）、垂直全期間ライン数（Output Vtotal）が許容できる範囲内で設定される。フレームメモリを用いない場合（即ちラインメモリＬＭ１〜ＬＭ３を用いる場合）は、表示パネル５の垂直同期信号周波数（fv）は、パネル出力信号Ｓ２の垂直同期信号周波数（fv）と同じ６０Ｈｚとなる。
【００５１】
この事を踏まえて、まず比較のため、入力ビデオ信号Ｓ１（即ちパネル出力信号Ｓ２）が表示パネル５において垂直方向に拡大縮小されずに（即ちオーバースキャン率ｋ＝１でフルスキャンされて）表示される場合で説明する。この場合、フルスキャン時の表示パネル５の垂直映像データライン数（Output Height）は、図４のＵ３により１０８０ラインとなる。また、表示パネル５の垂直全期間ライン数（Output Vtotal）は、図４のＵ４により、１１２５ライン（＝１０８０ライン×１１２５ライン÷１０８０ライン）となる。これらの結果を図示すると図５（ａ）となる。
【００５２】
尚、図５（ａ）のＡは、表示パネル５の垂直同期信号周波数（fv）であり、上記の通りfv=６０Ｈｚである。またＢは、表示パネル５の水平同期信号周波数（fh）であり、ここでは例えばfh=６７．５ｋＨｚに設定されている。またＣは、表示パネル５の垂直映像データライン数（Output Height）に対応する期間（即ち、表示信号処理部４から表示パネル５に入力ビデオ信号Ｓ１（即ちパネル出力信号Ｓ２）が出力される期間）を示しており、時刻ｔ１で、パネル出力信号Ｓ２の映像（１０８０ライン）の第１番目のデータライン（水平ライン）が出力され、その後、各データラインが順次出力され、時刻ｔ２で、最後の１０８０番目のデータラインが出力されることを示している。またＤは、表示パネル５において、入力される前記データラインが出力表示される期間を示しており、時刻ｔ１で、その時刻に表示パネル５に入力される第１番目の前記データラインが表示パネル５の映像表示領域（１０８０ライン）の第１番目のラインに出力表示され、その後、表示パネル５に順次入力される前記各データラインが表示パネル５の映像表示領域の各ラインに順次出力表示され、時刻ｔ２で、その時刻に表示パネル５に入力される１０８０番目の前記データラインが表示パネル５の映像表示領域の最後の１０８０番目のラインに出力表示されることを示している。よってこの図５（ａ）から、入力ビデオ信号Ｓ１（従ってはパネル出力信号Ｓ２）は、表示パネル５において、垂直方向に拡大縮小されずに（即ちフルスキャンされて）表示される事が分かる。
【００５３】
これに対し、入力ビデオ信号Ｓ１（従ってパネル出力信号Ｓ２）が表示パネル５において垂直方向に拡大されて（例えばオーバースキャン率ｋ＝０．９８でオーバースキャンされて）表示される場合は、以下の様になる。
【００５４】
即ち、表示パネル５の垂直映像データライン数（Output Height）は、図４のＵ３により、表示パネル５の映像表示領域の垂直方向サイズ（１０８０ライン）よりも大きい１１０２ラインに拡大される。また、表示パネル５の垂直全期間ライン数（Output Vtotal）は、図４のＵ４により、１１４８ライン（１１０２ライン×１１２５ライン÷１０８０ライン）となる。これらの結果を図示すると図５（ｂ）になる。
【００５５】
尚、図５（ｂ）のＡは、表示パネル５の垂直同期信号周波数（fv）であり、上記の通りfv=６０Ｈｚである。またＢは、表示パネル５の水平同期信号周波数（fh）であり、ここでは例えばfh=６８．９ｋＨｚに設定されている。またＣは、表示パネル５の垂直映像データライン数（Output Height）に対応する期間（即ち、表示信号処理部４から表示パネル５に入力ビデオ信号Ｓ１（即ちパネル出力信号Ｓ２）が出力される期間）を示しており、時刻ｔ１で、パネル出力信号Ｓ２の映像（１１０２ライン）の第１番目のデータライン（水平ライン）が出力され、その後、各データラインが順次出力され、時刻ｔ２で、最後の１１０２番目のデータラインが出力されることを示している。またＤは、表示パネル５において、入力される前記データラインが出力表示される期間を示しており、時刻ｔ３で、その時刻に表示パネル５に入力される前記データラインが表示パネル５の映像表示領域（１０８０ライン）の第１番目のラインに出力表示され、その後、表示パネル５に順次入力される前記各データラインが表示パネル５の映像表示領域の各ラインに順次出力表示され、時刻ｔ４で、その時刻に表示パネル５に入力される前記データラインが表示パネル５の映像表示領域の最後の１０８０番目のラインに出力表示されることを示している。即ち、時刻ｔ１から時刻ｔ３までの間、および時刻ｔ４から時刻ｔ２の間に表示パネル５に入力される前記データラインは表示パネル５に出力表示されないことを示している。よってこの図５（ｂ）から、入力ビデオ信号Ｓ１（従ってはパネル出力信号Ｓ２）は、表示パネル５において、垂直方向に拡大されて（即ちオーバースキャンされて）表示される事が分かる。
【００５６】
具体的には、表示パネル５のクロック周波数（Output Pixel Clock）を上げることで、表示パネル５の水平同期信号周波数（fh）、垂直全期間ライン数（Output Vtotal）、垂直映像データライン数（Output Height）を上げる。これにより、垂直映像データライン数（１１０２ライン）が表示パネル５の映像表示領域の垂直方向サイズ（１０８０ライン）よりも大きくなり、入力ビデオ信号Ｓ１（従ってパネル出力信号Ｓ２）がオーバースキャン率ｋ＝０．９８で拡大表示される。
【００５７】
入力ビデオ信号Ｓ１の映像の表示パネル５の映像表示領域に対する垂直拡大率が大きくなるほど、入力ビデオ信号Ｓ１の映像の上下の周縁をより大きくカットしてオーバースキャン表示されるが、そのカットの大きさは、入力ビデオ信号Ｓ１のビデオタイミングや表示パネル５のクロック周波数、水平同期信号周波数、垂直同期信号周波数、水平全期間ドット数、垂直全期間ライン数の許容範囲に依存する。
【００５８】
＜３−２．出力タイミングの具体例２＞
図６は、表示信号処理部４から表示パネル５へのパネル出力信号Ｓ２の出力タイミングの具体例として、入力ビデオ信号Ｓ１を１９２０×１０８０の表示パネル５において垂直方向に縮小して表示させる場合の垂直方向の出力タイミングを説明する図である。尚、この場合の表示パネル５のフルスキャン時の垂直映像データライン数（Output Height）は１０８０ラインである。尚、水平方向の出力タイミングは、パネル出力信号Ｓ２をフルスキャンする場合（即ち従来と同様の場合）を想定しているので、ここでの説明は省略する。
【００５９】
上記の具体例１の場合と同様に、入力ビデオ信号Ｓ１のビデオタイミングはCEA（Consumer Electronics Association）規格で定められたビデオタイミングであり、１０８０ｐの入力ビデオ信号Ｓ１の場合、入力ビデオ信号Ｓ１の垂直同期信号周波数（fv）は６０Ｈｚであり、入力ビデオ信号Ｓ１の垂直全期間ライン数（INPUT Vtotal）は１１２５ラインである。
【００６０】
この入力ビデオ信号Ｓ１を垂直方向に縮小して表示パネル５に出力する際の出力タイミングは、表示パネル５のクロック周波数（Output Pixel Clock）、水平同期信号周波数（fh）、垂直同期信号周波数（fv）、水平全期間ドット数（Output Htotal）、垂直全期間ライン数（Output Vtotal）が許容できる範囲内で設定される。フレームメモリを用いない場合（即ちラインメモリＬＭ１〜ＬＭ３を用いる場合）は、表示パネル５の垂直同期信号周波数（fv）は、パネル出力信号Ｓ２の垂直同期信号周波数（fv）と同じ６０Ｈｚとなる。
【００６１】
まず比較のため、入力ビデオ信号Ｓ１（従ってパネル出力信号Ｓ２）が表示パネル５において垂直方向に拡大縮小されずに（即ちオーバースキャン率ｋ＝１でフルスキャンされて）表示される場合で説明する。この場合、フルスキャン時の表示パネル５の垂直映像データライン数（Output Height）は、図４のＵ３により１０８０ラインとなる。また、表示パネル５の垂直全期間ライン数（Output Vtotal）は、図４のＵ４により、１１２５ライン（＝１０８０ライン×１１２５ライン÷１０８０ライン）となる。これらの結果を図示すると図６（ａ）となる。図６（ａ）は図５（ａ）と同じである。
【００６２】
これに対し、入力ビデオ信号Ｓ１（従ってパネル出力信号Ｓ２）が表示パネル５において垂直方向に縮小されて（例えばオーバースキャン率ｋ＝１．０３でアンダースキャンされて）表示される場合は、以下の様になる。
【００６３】
即ち、表示パネル５の垂直映像データライン数（Output Height）は、図４のＵ３により、表示パネル５の映像表示領域の垂直方向サイズ（１０８０ライン）よりも小さい１０４６ラインに縮小される。また表示パネル５の垂直全期間ライン数（Output Vtotal）は、図４のＵ４により、１０９０ライン（１０４６ライン×１１２５ライン÷１０８０ライン）となる。これらの結果を図示すると図６（ｂ）になる。
【００６４】
尚、図６（ｂ）のＡは、表示パネル５の垂直同期信号周波数（fv）であり、上記の通りfv=６０Ｈｚである。またＢは、表示パネル５の水平同期信号周波数（fh）であり、ここでは例えばfh=６５．４ｋＨｚに設定されている。またＣは、表示パネル５の垂直映像データライン数（Output Height）に対応する期間（即ち、表示信号処理部４から表示パネル５に入力ビデオ信号Ｓ１（即ちパネル出力信号Ｓ２）が出力される期間）を示しており、時刻ｔ５で、パネル出力信号Ｓ２の映像（１０４６ライン）の第１番目のデータライン（水平ライン）が出力され、その後、各データラインが順次出力され、時刻ｔ６で、最後の１０４６番目のデータラインが出力されることを示している。またＤは、表示パネル５において、入力される前記データラインが出力表示される期間を示しており、時刻ｔ１で、その時刻に表示パネル５に入力される前記データラインが表示パネル５の映像表示領域（１０８０ライン）の第１番目のラインに出力表示され、その後、表示パネル５に順次入力される前記各データラインが表示パネル５の映像表示領域の各ラインに順次出力表示され、時刻ｔ２で、その時刻に表示パネル５に入力される前記データラインが表示パネル５の映像表示領域の最後の１０８０番目のラインに出力表示されることを示している。
【００６５】
しかし、時刻ｔ１〜ｔ５までの間、および時刻ｔ６〜ｔ２の間は、表示パネル５に前記データラインは出力されないので、表示パネル５の映像表示領域において、それら各間ｔ１〜ｔ５，ｔ６〜ｔ２に対応する各ラインには、パネル出力信号Ｓ２（即ち入力ビデオ信号Ｓ１）の映像は表示されず、パネル出力信号Ｓ２が出力される間ｔ５〜ｔ６に対応する各ラインにだけ、パネル出力信号Ｓ２（即ち入力ビデオ信号Ｓ１）の映像が表示されることを示している。よってこの図６（ｂ）から、入力ビデオ信号Ｓ１（従ってパネル出力信号Ｓ２）は、表示パネル５において、垂直方向に縮小されて（即ちアンダースキャンされて）表示される事が分かる。尚、時刻ｔ１〜ｔ５までの間、および時刻ｔ６〜ｔ２の間には、ブランキング部が表示されてもよい。
【００６６】
具体的には、表示パネル５のクロック周波数（Output Pixel Clock）を下げることで、表示パネル５の水平同期信号周波数（fh）、垂直全期間ライン数（Output Vtotal）、垂直映像データライン数（Output Height）を下げる。これにより垂直映像データライン数（１０４６ライン）が表示パネル５の映像表示領域の垂直方向サイズ（１０８０ライン）よりも小さくなり、パネル出力信号Ｓ２がオーバースキャン率ｋ＝１．０３で縮小表示される。
【００６７】
入力ビデオ信号Ｓ１が表示パネル５において垂直方向に縮小されて表示される場合は、パネル出力信号Ｓ２の映像の周縁（即ち歪み等が発生する周縁）にその周縁を被覆するブランキング部を重畳しても良い。この様にする場合、パネル出力信号Ｓ２（即ち入力ビデオ信号Ｓ１）の映像の表示パネル５の映像表示領域に対する垂直縮小率が大きくなるほど、前記ブランキング部の垂直方向の幅が大きくされるが、その幅の大きさは、入力ビデオ信号Ｓ１のビデオタイミングや表示パネル５のクロック周波数、水平同期信号周波数、垂直同期信号周波数、水平全期間ドット数、垂直全期間ライン数の許容範囲に依存する。
【００６８】
＜４．全体動作＞
＜４−１．入力ビデオ信号Ｓ１が４８０ｐでアスペクト比４：３の例えばスクイーズ画像の場合＞
入力ビデオ信号Ｓ１が４８０ｐでアスペクト比４：３（即ち画像サイズ７２０×４８０）の例えばスクイーズ画像である場合は、下記の様に、表示信号処理部４により入力ビデオ信号Ｓ１の映像の周縁がカットされて表示パネル５に表示される。
【００６９】
即ちこの場合は、入力ビデオ信号Ｓ１の映像は、水平方向については、表示信号処理部４において、上記の＜２．表示信号処理部４の処理の詳細の一例＞で説明した様に、オーバースキャン率ｋ＝０．９５に相当する分左右の周縁がカットされると共に、カットされなかった中央の６８４ピクセルの部分が表示パネル５の映像表示領域の水平方向サイズ（１９２０ピクセル）と同じサイズに変更（ここでは拡大）されて、読み出される。また垂直方向については、入力ビデオ信号Ｓ１の映像は、各ラインメモリＬＭ１〜ＬＭ３に書き込まれて読み出される際に、表示パネル５の映像表示領域の垂直方向サイズ（１０８０ライン）に対して、オーバースキャン率ｋの逆数を掛けた値（１１３７ライン）に増大されて読み出される。この様にして図７の様に、７２０×４８０の入力ビデオ信号Ｓ１から１１３７×１９２０のパネル出力信号Ｓ２が生成される。
【００７０】
そしてパネル出力信号Ｓ２は、下記の出力タイミングで表示パネル５に出力される。即ち、入力ビデオ信号Ｓ１が４８０ｐで画像アスペクト比４：３のスクイーズ画像の場合は、その入力ビデオ信号Ｓ１の垂直周波数は６０Ｈｚであり、垂直全期間ライン数は５２５ラインである。この場合、パネル出力信号Ｓ２の出力タイミングは、表示パネル５のクロック周波数、水平周波数、垂直周波数、水平全期間クロック数、垂直全期間ライン数が許容できる範囲内で設定される。
【００７１】
具体的には、表示パネル５の垂直映像データライン数（Output  Height）は、表示パネル５の映像表示領域（１０８０）よりもオーバースキャン率ｋの逆数倍大きい１１３７ラインに拡大されて設定される（図４のＵ３参照）。また表示パネル５の垂直全期間ライン数（Output Vtotal）は、１２４４ライン（１１３７ライン×５２５ライン÷４８０ライン）に設定される（図４のＵ４参照）。具体的には、表示パネル５のクロック周波数（Output Pixel Clock）を上げることで、表示パネル５の水平同期信号周波数（fh）、垂直全期間ライン数（Output Vtotal）、垂直映像データライン数（Output  Height）を上げる。尚、表示パネル５のクロック周波数（Output Pixel Clock）は、垂直全期間ライン数（Output Vtotal）×垂直映像データライン数（Output Htotal）×垂直同期信号周波数（fv）の演算値に設定され（図４のＵ７）、表示パネル５の水平全期間ドット数（Output Htotal）および水平映像データドット数（Output Width）の設定値は水平方向にフルスキャンする従来の場合と同じ値が設定される（図４のＵ５）。
【００７２】
この様に、表示パネル５の垂直映像データライン数（Output  Height）、垂直全期間ライン数（Output Vtotal）、水平全期間ドット数（Output Htotal）、水平映像データドット数（Output Width）およびクロック周波数（Output Pixel Clock）が設定されることで、図７の様に、パネル出力信号Ｓ２は、表示パネル５において、垂直方向には９５％でオーバスキャンされ、水平方向にはフルスキャンされて表示される。これにより入力ビデオ信号Ｓ１は、その各々一定の水平方向幅の左右の周縁および各々一定の垂直方向幅の上下の周縁がカットされて表示パネル５に拡大表示される。
【００７３】
＜４−２．入力ビデオ信号Ｓ１が４８０ｐで画像アスペクト比４：３でスクイーズ画像でない場合＞
入力ビデオ信号Ｓ１が４８０ｐで画像アスペクト比４：３（即ち画像サイズ７２０×４８０）でスクイーズ画像でない場合は、下記の様に、表示信号処理部４によ入力ビデオ信号Ｓ１の映像の周縁がカットされて表示パネル５に表示される。
【００７４】
即ちこの場合は、入力ビデオ信号Ｓ１の映像は、水平方向については、表示信号処理部４において、各ラインメモリＬＭ１〜ＬＭ３から読み出される際に、その中央の６８４ピクセルの部分が１４４０ピクセルに変更（ここでは拡大）される様に、その水平方向サイズ全体（７２０ピクセル）が例えば１５１６ピクセルに変更されて読み出される。尚、上記の１４４０ピクセルは、表示パネル５の映像表示領域の垂直方向サイズ（１０８０ライン）に対してアスペクト比４：３になる水平方向サイズである。そして読み出されたデータは、その水平方向の中央の１４４０ピクセル以外の部分にブランキング部ｂｋが設けられることで、その中央の１４４０ピクセル以外の各々一定の水平方向幅の左右の周縁がカットされる。また垂直方向については、入力ビデオ信号Ｓ１の映像は、各ラインメモリＬＭ１〜ＬＭ３から読み出される際に、表示パネル５の映像表示領域の垂直方向サイズ（１０８０ライン）に対して、オーバースキャン率ｋの逆数を掛けた値（１１３７ライン）に変更されて読み出される。この様にして図８の様に、７２０×４８０の入力ビデオ信号Ｓ１から１５１６×１１３７のパネル出力信号Ｓ２が生成される。
【００７５】
尚ここでは、ブランキング部ｂｋは、表示信号処理部４においてパネル出力信号Ｓ２に設けられたが、そうする代わりに、表示パネル５においてパネル出力信号Ｓ２に設けられてもよい。
【００７６】
そしてパネル出力信号Ｓ２は、水平方向には、その中央の１４４０ピクセルの部分が表示パネル５の水平方向サイズ（１９２０ピクセル）の中央に配置され、垂直方向には、各々一定の垂直方向幅の上下の周縁がカットされて９５％オーバースキャンされて拡大表示される様に、表示パネル５に出力される。これにより入力ビデオ信号Ｓ１は、垂直方向には９５％オーバースキャンされて上下の周縁がカットされ、水平方向には映像表示領域の水平方向サイズ（１０８０ピクセル）に対して４：３のアスペクト比になる様に左右の周縁がカットされて（この左右の周縁のカットによりノイズまたは歪みの発生し易い左右の周縁もカットされて）表示される。
【００７７】
＜４−３．入力ビデオ信号Ｓ１と表示パネル５とのアスペクト比が異なる場合＞
ここでは、表示パネル５の映像表示領域を例えば１６８０×１０５０とし、その表示パネル５に１９２０×１０８０の入力ビデオ信号Ｓ１を表示する場合を例に挙げて説明する。
【００７８】
この場合、入力ビデオ信号Ｓ１は、下記の様に、垂直方向には例えば１０３％アンダースキャンされ、水平方向には例えば９３％オーバースキャンされることで、上下の周縁はカットされずに各々一定の水平方向幅の左右の周縁だけカットされて、表示パネル５に出力表示される。
【００７９】
即ちこの場合は、図９の様に、入力ビデオ信号Ｓ１の映像は、水平方向については、表示信号処理部４において、上記の＜２．表示信号処理部４の処理の詳細の一例＞で説明した様に、各ラインメモリＬＭ１〜ＬＭ３から読み出される際に、オーバースキャン率ｋ＝０．９３に相当する分、各々一定の水平方向幅の左右の周縁がカットされると共に、カットされなかった中央の１７８２ピクセルの部分が表示パネル５の映像表示領域の水平方向サイズ（１６８０ピクセル）と同じサイズに変更（ここでは縮小）されて、読み出される。また垂直方向については、入力ビデオ信号Ｓ１の映像は、各ラインメモリＬＭ１〜ＬＭ３から読み出される際に、表示パネル５の映像表示領域の垂直方向サイズ（１０５０ライン）に対して、オーバースキャン率ｋ＝１．０３の逆数を掛けた値（１０１８）に変更（ここでは縮小）されて読み出される。この様にして図９の様に、１９２０×１０８０の入力ビデオ信号Ｓ１から１６８０×１０１８のパネル出力信号Ｓ２が生成される。
【００８０】
そしてパネル出力信号Ｓ２が、上記の＜３．パネル出力信号Ｓ２の表示パネル５への出力タイミングの設定＞または＜３−２．出力タイミングの具体例２＞で説明した様に、オーバースキャン率ｋ＝１．０３の下で設定された出力タイミングで表示パネル５に出力されることで、図９の様に、パネル出力信号Ｓ２は、垂直方向には１０３％でアンダースキャンされ、水平方向にはフルスキャンされて表示パネル５に表示される。これにより入力ビデオ信号Ｓ１は、垂直方向には１０３％アンダースキャンされ、水平方向には９３％オーバースキャンされて各々一定の垂直方向幅の上下の周縁がカットされて表示される。
【００８１】
入力ビデオ信号Ｓ１および表示パネル５の各アスペクト比の組み合わせによっては、例えば、入力ビデオ信号Ｓ１が１６：９アスペクト比（１０８０ｐ）であり、表示パネル５が１６：１０アスペクト比である場合において、入力ビデオ信号Ｓ１の映像の垂直方向が１００％フルスキャンされる場合は、入力ビデオ信号Ｓ１の映像のアスペクト比を保持するには、当該映像を水平方向には９０％オーバースキャンする必要があるが、ここでは垂直方向に１０３％アンダースキャンしているため、水平方向には９３％オーバースキャンにすることができ、入力ビデオ信号Ｓ１の映像を極力カットしないようにしている。
【００８２】
＜５．効果＞
以上に説明した画像表示装置１によれば、入力ビデオ信号Ｓ１の映像を、その映像におけるノイズまたは歪みが発生し易い各々一定の水平方向幅の周縁または／および各々一定の垂直方向幅の周縁が映り込まない様に表示パネル５に表示する事ができる。
【００８３】
その際、高価なフレームメモリを用いずに各ラインメモリＬＭ１〜ＬＭ３を用いるので、製品コストを増大させることなくオーバースキャン表示およびアンダースキャン表示でき、これにより、製品コストを増大させることなくノイズまたは歪みが発生し易い周縁が映り込まない様に入力ビデオ信号Ｓ１を表示できる。
【００８４】
また高価なフレームメモリを用いずに各ラインメモリＬＭ１〜ＬＭ３を用いるので、回路規模の増大を防止して製品コストを低減することができる。特にフレームメモリを用いないため、映像処理が音声処理に対して遅延する事を防止できる。
【００８５】
尚、この実施の形態では、画像表示装置1として液晶表示装置を例にとって説明したが、発明の適用はこれに限定されるものではなく、プラズマディスプレイ装置や、有機ＥＬ表示装置、その他の画像表示装置にも適用できる。
【００８６】
またこの実施の形態では、表示パネル５の画面サイズとして、解像度１９２０×１０８０で１６：９の画面サイズ、および解像度１６８０×１０５０で１６：１０の画面サイズを例に挙げて説明したが、本発明の適用はこれに限定されるものではなく、実現されているあらゆる比率の解像度および画面サイズ、また将来実現される比率の解像度および画面サイズにも適用可能である。
【符号の説明】
【００８７】
１  画像表示装置、２  制御部、３  制御用メモリ、４  表示信号処理部、５  表示パネル。
【図１】
2011237501.tif 000003
【図２】
2011237501.tif 000004
【図３】
2011237501.tif 000005
【図４】
2011237501.tif 000006
【図５】
2011237501.tif 000007
【図６】
2011237501.tif 000008
【図７】
2011237501.tif 000009
【図８】
2011237501.tif 000010
【図９】
2011237501.tif 000011